(57)【要約】【課題】  卓上ペンスタンドとして使用できるだけではなく、壁等にも磁石を利用して設置可能で、かつ、携帯性に優れたペンスタンドを提供するものである。【解決手段】  平面に接する基板１１ｂと、基板上に突出し内部に磁石を設けた取付部１１ａと、を有する台座部１１と、一端に磁性体の球体部１２ａを備え、他端に筆記具１５の挿入部１２ｂを備えたキャップ部１２と、を有し、台座部１１とキャップ部１２とは、球体部１２ａと取付部１１ａが磁力によって吸着することで、一体となっている構成のペンスタンド１０とする。【選択図】  図１
0003156126.tif 000002
【実用新案登録請求の範囲】
【請求項１】
平面に接する基板と、前記基板上に突出し内部に磁石を設けた取付部と、を有する台座部と、
一端に磁性体の球体部を備え、他端に筆記具の挿入部を備えたキャップ部と、
を有し、
前記台座部と前記キャップ部とは、前記球体部と前記取付部が磁力によって吸着することで、一体となっていることを特徴とするペンスタンド。
【請求項２】
前記台座部が、前記取付部の内部に設けた前記磁石の磁力によって、磁性体の平面に吸着可能であることを特徴とする請求項１に記載のペンスタンド。
【請求項３】
前記筆記具の挿入部が、筆記具が備えているキャップを嵌合できる形状であることを特徴とする請求項１又は２に記載のペンスタンド。
【考案の詳細な説明】
【技術分野】
【０００１】
本考案は、卓上に載置するだけでなく、磁石を利用して壁等にも設置可能で、かつ、携帯性に優れたペンスタンドに関する。
【背景技術】
【０００２】
ホテル等のフロントや銀行の窓口などに置かれているボールペン等の筆記具は、卓上のペンスタンドに挿されていることが多い。このようなペンスタンドを使用することにより、筆記具を無くし難い、筆記具が転がらない、卓上が整理されるなどのメリットがあるからである。
【０００３】
図５は、従来の卓上ペンスタンドの斜視図である。このようなペンスタンド２０は、台座部２１の上に円柱状の取付部２１ａがあり、ペン等を挿入するキャップ部２２の先端部分が取付部２１ａの中に収まって結合している。ここで取付部２１ａには、円柱の上部から側部にかけてスリット２５が設けられており、キャップ部２２の角度を変えることができる構成になっている。しかし、このような構成だと、スリット２５の方向にしかキャップ部２２を動かすことができず、また、動かせる角度も小さいので、使用できる場所が卓上などに限定される。つまり、卓上以外に設置することは、考慮されていない。
【０００４】
次に、卓上ペンスタンドと同様、筆記具を無くさないことを目的として、ホワイトボード用のペンのキャップに磁石を設けて、ホワイトボードに吸着させて保持させるものがある（特許文献１参照）。ホワイトボードに吸着させておけば、ペン本体やキャップを見失い難く、直ぐに使用できるからである。しかし、市販されている普通のペンには磁石は設けられていないので、このようなことができるのは、キャップに磁石を設けた特定のペンに限られる。
【先行技術文献】
【特許文献】
【０００５】
【特許文献１】特開２００８−２５４４０３号公報
【考案の概要】
【考案が解決しようとする課題】
【０００６】
本考案は、斯かる実情に鑑み、卓上ペンスタンドとして使用できるだけでなく、壁等にも磁石を利用して設置可能で、かつ、携帯性に優れ、多様な筆記具に使用できるペンスタンドを提供しようとするものである。
【課題を解決するための手段】
【０００７】
本考案のペンスタンドは、平面に接する基板と、基板上に突出し内部に磁石を設けた取付部と、を有する台座部と、一端に磁性体の球体部を備え、他端に筆記具の挿入部を備えたキャップ部と、を有し、台座部とキャップ部とは、球体部と取付部が磁力によって吸着することで、一体となっていることを特徴とするものである。
【０００８】
ここで台座部が、取付部の内部に設けた磁石の磁力によって、磁性体の平面に吸着できる構成にしても良いし、前記筆記具の挿入部が、筆記具が備えているキャップを嵌合できる形状にしても良い。
【考案の効果】
【０００９】
本考案のペンスタンドによれば、卓上ペンスタンドとしての使用だけでなく、ホワイトボードや冷蔵庫のような磁性体の垂直な平面に対しても、磁力によって吸着して使用することができるという優れた効果を奏し得る。
【００１０】
また、本考案のペンスタンドは、台座部とキャップ部が磁力で吸着されているので、キャップ部を台座部から取り外すことが可能である。よって、筆記具の挿入部に筆記具が備えているキャップを嵌合できる形状にすれば、筆記具を持ち運ぶ際に、本考案のキャップ部ごと持ち運ぶことができるという効果も奏し得る。
【図面の簡単な説明】
【００１１】
【図１】本考案のペンスタンドの斜視図である。
【図２】本考案のペンスタンドの分解図であり、（ａ）はキャップ部の斜視図、（ｂ）は台座部の斜視図である。
【図３】球体部と取付部の拡大断面図である。
【図４】本考案のペンスタンドを壁に設置した実施例を示す図である。
【図５】従来の卓上ペンスタンドの斜視図である。
【考案を実施するための形態】
【００１２】
以下、本考案の実施の形態を添付図面を参照して説明する。
図１は、本考案のペンスタンドの斜視図、図２は、本考案のペンスタンドの分解図であり、（ａ）はキャップ部の斜視図、（ｂ）は台座部の斜視図である。また、図３は、球体部と取付部の拡大断面図である。
【００１３】
本考案のペンスタンド１０は、大きく分けると、台座部１１とキャップ部１２で構成されている。キャップ部１２は、一端に磁性体の球体部１２ａを有し、他端に筆記具１５を挿入することができる挿入部１２ｂを有している。一方、台座部１１は、平面に接する基板１１ｂと、基板１１ｂの表面に突出した取付部１１ａを有し、取付部１１ａの内部には磁石１１ｃが埋設されている。
【００１４】
取付部１１ａは、球体部１２ａが磁石１１ｃに吸着されて固定できるような形状であれば良いので、図のような円筒形だけでなく、断面が多角形等であっても良い。ただし、図３に示すように、取付部１１ａの上端から球体部１２ａの中心までの距離ｓが正になるように、球体部１２ａの径や取付部１１ａの形状を決定する必要がある。取付部１１ａの内部に球体部１２ａが入り込んでしまうと、キャップ部１２の動きが制限されてしまうからである。また、球体部１２ａが磁力によって固定されるように、取付部１１ａの内部に埋設された磁石１１ｃの形状は、球体部１２ａの形状に合わせて円錐状に真ん中が凹んでいる形状等にすると良い。
【００１５】
基板１１ｂは、必ずしも磁性体である必要はないが、台座部１１を磁性体の壁等に吸着させるためには、取付部１１ａの内部に埋設された磁石１１ｃの磁力が壁等にまで届く必要があるので、薄い板にするか、できれば磁性体にすることが望ましい。
【００１６】
本考案のペンスタンド１０が対象とする筆記具１５は、挿入部１２ｂに入るものであれば特に種類の限定はしないが、万年筆やサインペンのように筆記具にキャップが備えられているものについては、筆記具のキャップごと挿入部１２ｂに挿入されることになる。ここで、挿入部１２ｂと筆記具のキャップとが嵌合できる構造であれば、ペンスタンド１０から直接万年筆等を抜いて使用することができる。従来のペンスタンドであれば、ペンスタンドと万年筆等のキャップとが嵌合できる構成にした場合、万年筆等だけを持ち運びたい場合には、その都度、キャップをペンスタンドから取り外さなければならないので手間がかかることになるが、本考案のペンスタンド１０であれば、キャップ部１２と台座部１１とが分離可能であるから、キャップ部１２ごと取り外して持ち運ぶことができる。さらに、台座部１１が他の場所に設置されていれば、キャップ部１２ごと持って行って、取り付けることもできる。
【００１７】
本考案のペンスタンド１０では、球体部１２ａが取付部１１ａの上部でほぼ任意の方向に回転できるので、従来のペンスタンドと比べるとキャップ部１２の可動範囲が広い。したがって、一つのペンスタンド１０に挿された筆記具を複数の人で使用することも可能である。
【００１８】
図４に、本考案のペンスタンドを壁に設置した実施例を示す。これは、本考案のペンスタンド１０の特徴である、キャップ部１２の可動範囲の広さと、磁石の磁力とを利用したものである。特に、ホワイトボード用のペンや冷蔵庫等にメモ用の筆記具を置きたい場合などに、このような設置方法を用いることができる。
【００１９】
設置したい壁等が磁性体の平面であれば、垂直な壁であっても、図４のように台座部１１を吸着させて設置することができる。このとき、筆記具１５を保持するキャップ部１２は、挿入部１２ｂをほぼ鉛直上向きにする必要があるが、本考案のペンスタンド１０のキャップ部１２は、取付部１１ａと球体部１２ａが磁力で吸着されており、球体部１２ａの可動範囲が広いため、図４のように鉛直上向きにすることが可能である。また、図５に示した従来のペンスタンド２０のようにキャップ部２２の動く向きが限定されていないので、壁等に対してキャップ部１２の向きを自由に変えることができる。
【００２０】
また、本考案のペンスタンド１０は、磁力によって壁に吸着しているので、基板１１ｂと壁との間にメモ用紙を挟んでおくことも可能である。そうすると、筆記具１５とメモ用紙をセットで置いておくことになるので、メモをとりたいときに、筆記具１５はあるがメモ用紙が無いというような事態にならないというメリットがある。
【００２１】
以上のように、本考案のペンスタンドは、卓上だけでなく、壁等にも吸着して設置することができ、また、対象とする筆記具もボールペン、万年筆、ホワイトボード用のペンなど多岐に渡るため、広く使用することができるという特徴を有している。
【符号の説明】
【００２２】
１０，２０        ペンスタンド
１１，２１        台座部
１１ａ，２１ａ    取付部
１１ｂ            基板
１１ｃ            磁石
１２，２２        キャップ部
１２ａ            球体部
１２ｂ            挿入部
１５              筆記具
【図１】
0003156126.tif 000003
【図２】
0003156126.tif 000004
【図３】
0003156126.tif 000005
【図４】
0003156126.tif 000006
【図５】
0003156126.tif 000007